(57)【要約】【課題】利用する際に情報端末の複数の筐体の中の少なくとも１つを変位させる必要がある場合、今までよりも少なくしかも簡単な操作で、目的の機能を実現できる端末装置を提供する。【解決手段】携帯情報端末１００では、第１の筐体１０１に備えられた第１の端子１０５１Ａ〜１０５１Ｄの中のどの端子と、第２の筐体１０２に備えられた第２の端子１０５２Ａ〜１０５２Ｄの中のどの端子が接続しているかによって、表示部に表示される内容が決定される。これにより、第１の筐体１０１と第２の筐体１０２を、折り畳まれた状態から開く際に、接続させる端子を適宜選択すれば、開くという操作だけで、表示部に、所望の内容を表示させることができる。【選択図】        図５
2004164216.tif 000002
【特許請求の範囲】
【請求項１】
第１の筐体と、
前記第１の筐体と通信可能な第２の筐体と、
前記第１の筐体または前記第２の筐体に設置された表示部と、
前記表示部における表示動作を制御する表示制御部とを含み、
前記第１の筐体は、前記第２の筐体に対して変位可能であり、前記第２の筐体との間で通信するための第１の端子を備え、
前記第２の筐体は、前記第１の端子と通信するための第２の端子を複数備え、
前記第１の端子は、少なくとも前記複数の第２の端子のいずれかと通信し、
前記第１の端子が複数の前記第２の端子のどの端子と通信しているかを検出する検出部をさらに含み、
前記表示制御部は、前記検出部の検出結果に対応させて、前記表示部の表示動作を制御する、端末装置。
【請求項２】
前記表示制御部は、複数のアプリケーションプログラムに従った表示制御を実行可能であり、当該複数のアプリケーションプログラムの中から前記検出部の検出結果に対応したアプリケーションプログラムに従って、前記第１の端子と前記第２の端子が接続されたときの前記表示部の表示動作を制御する、請求項１に記載の端末装置。
【請求項３】
前記表示制御部は、前記表示部に、前記検出部の検出結果に対応した再生位置から、マルチメディアデータを再生させる、請求項１に記載の端末装置。
【請求項４】
前記検出部の検出結果と前記表示部の表示動作の制御内容とを対応させて記憶する制御内容記憶部をさらに含み、
前記表示制御部は、前記制御内容記憶部の記憶内容に基づいて、前記表示部の表示動作を制御する、請求項１〜請求項３のいずれかに記載の端末装置。
【請求項５】
前記制御内容記憶部の記憶内容を変更する記憶内容変更部をさらに含む、請求項４に記載の端末装置。
【請求項６】
前記第１の端子と前記第２の端子とは、接続線で接続されることにより通信を行なう、請求項１〜請求項５のいずれかに記載の端末装置。
【請求項７】
前記第１の筐体が前記第２の筐体に対して前記第１の端子と前記第２の端子の接続部分を軸として回動することにより、前記第１の筐体および前記第２の筐体は、折り畳まれた状態および開いた状態をとることができ、
前記表示制御部は、前記第１の筐体および前記第２の筐体が折り畳まれた状態から開いた状態になったときに、前記検出部の検出結果に応じて前記表示部の表示動作を制御する、請求項６に記載の端末装置。
【請求項８】
前記第１の筐体および前記第２の筐体は、それぞれ、外郭に少なくとも一つの多角形の面を備え、
前記第１の端子は、前記第１の筐体の前記多角形の面を構成する一辺に面するように配置され、
前記複数の第２の端子は、前記第２の筐体の前記多角形の面を構成するそれぞれ異なる辺に面するように配置され、
前記第１の端子と前記第２の端子は、前記第１の筐体の前記多角形の面を構成する一辺と前記第２の筐体の前記多角形の面を構成する一辺とが当接する状態で、接続される、請求項６または請求項７に記載の端末装置。
【請求項９】
前記第１の筐体は、前記第２の筐体に対して着脱自在である、請求項６〜請求項８のいずれかに記載の端末装置。
【請求項１０】
前記第１の筐体と前記第２の筐体との間で、無線通信が可能である、請求項１〜請求項５のいずれかに記載の端末装置。
【請求項１１】
前記無線通信は、赤外線を用いて行なわれる、請求項１０に記載の端末装置。
【請求項１２】
前記第１の筐体または前記第２の筐体の外表面に設置された、前記第１の端子が前記複数の第２の端子の中で通信する端子とそれに対応する前記表示部の表示動作との関係を表示する表示窓をさらに含む、請求項１〜請求項１１のいずれかに記載の端末装置。
【発明の詳細な説明】
【０００１】
【発明の属する技術分野】
本発明は、端末装置に関し、特に、第１の筐体および第２の筐体を含み、第１の筐体が第２の筐体に対して変位可能な端末装置に関する。
【０００２】
【従来の技術】
近年、ＰＤＡ（Ｐｅｒｓｏｎａｌ  Ｄｉｇｉｔａｌ  Ａｓｓｉｓｔａｎｃｅ）や携帯電話など小型の携帯情報端末の普及に伴い、携帯性を保ちながらも、情報の閲覧性を高くするために大型な表示部を持つ端末装置が増えてきた。そのような端末のうちの１つに、端末装置を折り畳むことのできる機構を持つ端末装置がある（以下、このような形状を持つ端末装置を「折り畳み型端末」と呼ぶ）。
【０００３】
その一例を、図２２および図２３に示す。図２２は、折り畳み型端末を開いた状態を示す図である。当該折り畳み型端末は、主に、第１の筐体３０１および第２の筐体３０２からなる。表示部３０３を持つ第１の筐体３０１に対して、入力部３０４を持つ第２の筐体３０２が、筐体結合部３０５を支点として結合されている。
【０００４】
また、図２３は、折り畳み型端末を折り畳んだ状態を示す図である。図２２に示された折り畳み型端末において、第１の筐体３０１を、筐体結合部３０５を軸として回動させることにより、図２３に示したように、第１の筐体３０１と第２の筐体３０２とが合わさった状態となる。
【０００５】
図２２および図２３に示したような従来の折り畳み型端末は、持ち運んだり充電中などの待機時には折り畳んだ状態で使用される。また、当該折り畳み端末は、内容を表示するために表示部を閲覧される際には折り畳まれていたものを開かれる。なお、従来の折り畳み型端末は、折り畳みが可能なことによって、大型な表示部や入力部を備えていても、携帯時には全体としての長さを凡そ半分にすることができ、場合によってはポケットサイズの携帯性を保つことができる。さらに、表示部を具備する第１の筐体に対して第２の筐体を覆い被せるような形に折り畳まれることによって、液晶等によって構成されている大型の表示部を保護することもできる。
【０００６】
図２２では、従来の折り畳み型端末の一例として、第１の筐体には表示部、第２の筐体にはハードボタンによって構成される入力部を持つ端末を紹介したが、他の例として、第２の筐体における入力部がトラックボールやタッチパネルで構成されるもの、第２の筐体に入力部と表示部の双方を備えているもの、または、第１の筐体および第２の筐体ともにタッチパネルによる入力部を備えた表示部を持つもの等、入力部と表示部の組み合わせの異なるさまざまな形態のものが存在していた。
【０００７】
また、引用文献１では、２つの筐体を折り畳み可能かつ展開可能に連結する構造を持つ折り畳み型携帯電話が開示されている。さらに、引用文献２では、２つの筐体間をシート状のケーブルで電気的に接続させた折り畳み型携帯電話が開示されている。
【０００８】
【特許文献１】
特開昭６３−８６９２９号公報
【０００９】
【特許文献１】
特開昭６３−１２９７５５号公報
【００１０】
【発明が解決しようとする課題】
しかしながら、従来の折り畳み型端末では、折り畳むという形態を採るため、折り畳んだ状態から、表示部に表示されている情報を確認および閲覧し、それに対して何らかの操作するために、ユーザは、折り畳んでいる状態から「開く」という操作を必要とされていた。この操作は、折り畳み型端末を使うユーザにとっては、避けて通ることのできない必要な操作であった。
【００１１】
なお、ユーザは、「何か情報をチェックしたい」「コンテンツを閲覧したい」「アプリケーションを操作したい」ということをする目的があって初めて「開く」操作を行なう。つまり、ユーザは、「開く」という操作を行なう場合でも、「開く」操作自体が目的ではない。ユーザにとっての最終目的は、「開く」操作を行なった後にする操作である。そして、ユーザは、最終目的である「何か情報をチェックする」「コンテンツを閲覧する」「アプリケーションを操作する」という動作を行なう前に、毎回必ず「開く」という操作をしなければならず、煩わしいと思うことがあった。
【００１２】
このため、従来では、折り畳んだ状態においてもある程度の情報を閲覧できるように工夫されている端末もあった。例えば、ノートパソコンやＰＤＡにおいて、充電が完了したかどうかの状態や、新着メールが到着したことを通知するお知らせランプを用いることで、折り畳んだ状態であっても、ユーザが情報を閲覧できるようなものがあった。
【００１３】
また、従来の携帯電話においては、折り畳んだ状態の外側、つまり、図２３における第１の筐体３０１の外側面（表示部３０３の裏面側）にも液晶等からなる表示部を設けることによって、時計や着信、新着メール到着のお知らせなどの表示ができるものがあった。その中の、背面（表示部３０３の裏面）にも表示部を備えたものには、例えば新しいメールの到着を知らせる場合においても、当該メールが誰からいつ来たものか等といったように、本来の表示部に表示する情報の一部分が簡単に閲覧できるものがあった。このように構成されることにより、例えばユーザが「新着メールがあるかどうかを知りたい」という場合、折り畳んだ状態であっても新着メールの到着と限定された情報は閲覧できた。しかしながら、このように構成された場合でも、当該新着メールの全文を読んだり、新着メールに対して返答をしたりといったような全体の情報を閲覧できるわけではなかった。そのため、ユーザは、上記のような背面に備えられた表示部による部分的な情報の閲覧だけでは物足りず、結局のところ、全体の情報を閲覧するために、折り畳んであるものを「開く」という操作をして、図２２における表示部３０３を見ていた。
【００１４】
以上のことから、従来の折り畳み型端末のような、少なくとも２つの筐体を含み、それらが待機状態では折り畳まれている情報端末のユーザは、当該端末で何らかの処理を行なおうとすると、当該端末に対して、折り畳みという状態から「折り畳みを開く」操作および「アプリケーションを起動する」等の本来目的とする操作の双方の操作を毎回強いられていた。
【００１５】
本発明は係る問題に鑑みて考えだされたものであり、その目的は、情報端末を利用する状態にする際に当該情報端末の複数の筐体の中の少なくとも１つを変位させる必要がある場合、今までよりも少なく、しかも、簡単な操作で、目的の機能を実現できる端末装置を提供することである。
【００１６】
【課題を解決するための手段】
本発明に従った端末装置は、第１の筐体と、前記第１の筐体と通信可能な第２の筐体と、前記第１の筐体または前記第２の筐体に設置された表示部と、前記表示部における表示動作を制御する表示制御部とを含み、前記第１の筐体は、前記第２の筐体に対して変位可能であり、前記第２の筐体との間で通信するための第１の端子を備え、前記第２の筐体は、前記第１の端子と通信するための第２の端子を複数備え、前記第１の端子は、少なくとも前記複数の第２の端子のいずれかと通信し、前記第１の端子が複数の前記第２の端子のどの端子と通信しているかを検出する検出部をさらに含み、前記表示制御部は、前記検出部の検出結果に対応させて、前記表示部の表示動作を制御することを特徴とする。
【００１７】
また、本発明に従った端末装置では、前記表示制御部は、複数のアプリケーションプログラムに従った表示制御を実行可能であり、当該複数のアプリケーションプログラムの中から前記検出部の検出結果に対応したアプリケーションプログラムに従って、前記第１の端子と前記第２の端子が接続されたときの前記表示部の表示動作を制御することが好ましい。
【００１８】
また、本発明に従った端末装置では、前記表示制御部は、前記表示部に、前記検出部の検出結果に対応した再生位置から、マルチメディアデータを再生させることが好ましい。
【００１９】
また、本発明に従った端末装置は、前記検出部の検出結果と前記表示部の表示動作の制御内容とを対応させて記憶する制御内容記憶部をさらに含み、前記表示制御部は、前記制御内容記憶部の記憶内容に基づいて、前記表示部の表示動作を制御することが好ましい。
【００２０】
また、本発明に従った端末装置は、前記制御内容記憶部の記憶内容を変更する記憶内容変更部をさらに含むことが好ましい。
【００２１】
また、本発明に従った端末装置では、前記第１の端子と前記第２の端子とは、接続線で接続されることにより通信を行なうことが好ましい。
【００２２】
また、本発明に従った端末装置では、前記第１の筐体が前記第２の筐体に対して前記第１の端子と前記第２の端子の接続部分を軸として回動することにより、前記第１の筐体および前記第２の筐体は、折り畳まれた状態および開いた状態をとることができ、前記表示制御部は、前記第１の筐体および前記第２の筐体が折り畳まれた状態から開いた状態になったときに、前記検出部の検出結果に応じて前記表示部の表示動作を制御することが好ましい。
【００２３】
また、本発明に従った端末装置では、前記第１の筐体および前記第２の筐体は、それぞれ、外郭に少なくとも一つの多角形の面を備え、前記第１の端子は、前記第１の筐体の前記多角形の面を構成する一辺に面するように配置され、前記複数の第２の端子は、前記第２の筐体の前記多角形の面を構成するそれぞれ異なる辺に面するように配置され、前記第１の端子と前記第２の端子は、前記第１の筐体の前記多角形の面を構成する一辺と前記第２の筐体の前記多角形の面を構成する一辺とが当接する状態で、接続されることが好ましい。
【００２４】
また、本発明に従った端末装置では、前記第１の筐体は、前記第２の筐体に対して着脱自在であることが好ましい。
【００２５】
また、本発明に従った端末装置では、前記第１の筐体と前記第２の筐体との間で、無線通信が可能であることが好ましい。
【００２６】
また、本発明に従った端末装置では、前記無線通信は、赤外線を用いて行なわれることが好ましい。
【００２７】
また、本発明に従った端末装置は、前記第１の筐体または前記第２の筐体の外表面に設置された、前記第１の端子が前記複数の第２の端子の中で通信する端子とそれに対応する前記表示部の表示動作との関係を表示する表示窓をさらに含むことが好ましい。
【００２８】
【発明の実施の形態】
以下、図面を参照しつつ、本発明の実施の形態について説明する。なお、以下の説明では、同一の部品には、特記された場合を除き、同一の符号が付され、それらの名称および機能も同じである。したがって、それらについての詳細な説明は繰り返さない。
【００２９】
［第１の実施の形態］
図１は、本発明の端末装置の第１の実施の形態の携帯情報端末の斜視図である。携帯情報端末１００は、主に、第１の筐体１０１と第２の筐体１０２とからなる。第１の筐体１０１には、情報を表示する表示部１０３が備えられている。第２の筐体１０２には、ユーザが情報を入力するための入力部１０４が備えられている。入力部１０４は、操作される部位により異なる情報を入力できるキー１０４Ａ、および、キー１０４Ｂを含む複数のキーを含む。
【００３０】
第１の筐体１０１と第２の筐体１０２とは、筐体接合部１０５で接続されている。また、第１の筐体１０１と第２の筐体１０２とは、筐体接合部１０５を軸として、一方が他方に対して回動可能に構成されている。携帯情報端末１００は、図１に示されたような開いた状態、および、第１の筐体１０１および第２の筐体１０２の一方が図１に示された状態から他方に対して回動されることにより表示部１０３を備える面と入力部１０４を備える面とが当接される折り畳まれた状態をとることができる。
【００３１】
第１の筐体１０１と第２の筐体１０２は、それぞれ、表示部１０３を備える面と入力部１０４を備える面に、筐体接合部１０５が接続されている。また、これらの面は、長方形であり、筐体接合部１０５は、これらの長方形のそれぞれ一辺に、接続されている。つまり、第１の筐体１０１と第２の筐体１０２とは、互いに、一辺を当接された状態で接続されている。
【００３２】
また、第１の筐体１０１は、第２の筐体１０２の入力部１０４を備える面の中の、他の辺と接続されることもできる。図２〜図４に、第１の筐体１０１が、第２の筐体１０２の入力部１０４を備える面の中の、図１とは異なる辺に接続された状態をそれぞれ示す。
【００３３】
第１の筐体１０１および第２の筐体１０２は、それぞれ、表示部１０３を備える面と入力部１０４を備える面の複数の（全ての）辺に、筐体接合部１０５を備えている。これにより、図１〜図４に示すように、第１の筐体１０１と第２の筐体１０２とは、異なる複数の状態で、接続が可能である。
【００３４】
図５は、携帯情報端末１００の開かれた状態での裏面図である。第２の筐体１０２では、入力部１０４を備える面の裏にある面も長方形であり、当該面の各辺には、第２の端子１０５２Ａ〜１０５２Ｄが設置されている。また、第１の筐体１０１では、表示部１０３を備える面の裏にある面も長方形であり、当該面の各辺には、第１の端子１０５１Ａ〜１０５１Ｄが設置されている。第２の端子１０５２Ａ〜１０５２Ｄは、それぞれ、第２の筐体１０２の構成する直方体内に設置されている。一方、第１の端子１０５１Ａ〜１０５１Ｄは、それぞれ、第１の筐体１０１を構成する直方体から突出する状態で設置されている。第１の端子１０５１Ａ〜１０５１Ｄのいずれかと第２の端子１０５２Ａ〜１０５２Ｄのいずれかが組み合わされることにより、筐体接合部１５０となる。
【００３５】
第１の筐体１０１と第２の筐体１０２とは、第１の端子１０５１Ａ〜１０５１Ｄのいずれかと第２の端子１０５２Ａ〜１０５２Ｄのいずれかが接続されることにより、それらを介して通信が可能となる。
【００３６】
第２の筐体１０２には、第２の端子１０５２Ａ〜１０５２Ｄが設置された部位に凹部が形成されている。第１の端子１０５１Ａ〜１０５１Ｄは、第１の筐体１００に対して、蝶番等により回動可能に構成されている。これにより、第１の端子１０５１Ａ〜１０５１Ｄは、それぞれ、第２の端子１０５２Ａ〜１０５２Ｄ周囲の凹部に嵌めこまれて第２の端子１０５２Ａ〜１０５２Ｄと接続される。なお、第１の端子１０５１Ａ〜１０５１Ｄが、それぞれ、第２の端子１０５２Ａ〜１０５２Ｄに接続された状態で第１の筐体１０１に対して回動することにより、携帯情報端末１００が開かれたり折り畳まれたりする。
【００３７】
なお、携帯情報端末１００は、開かれているときに、第１の端子１０５１Ａと第２の端子１０５２Ａとが接続されていれば図４に示す状態であり、第１の端子１０５１Ｂと第２の端子１０５２Ｂとが接続されていれば図２に示す状態であり、第１の端子１０５１Ｃと第２の端子１０５２Ｃとが接続されていれば図３に示す状態であり、第１の端子１０５１Ｄと第２の端子１０５２Ｄとが接続されていれば図１に示す状態である。
【００３８】
図６は、図５における第１の端子１０５１Ａと第２の端子１０５２Ａおよびその周辺部分の拡大図である。第１の端子１０５１Ａには位置検出部１１５１Ａが設置され、第２の端子１０５２Ａには位置検出部１１５２Ａが設置されている。また、第１の端子１０５１Ｂ〜１０５１Ｄおよび第２の端子１０５２Ｂ〜１０５２Ｄにも、第１の端子１０５１Ａおよび第２の端子１０５２Ａと同様に、第１の位置検出部１１５１Ｂ〜１１５１Ｄ（図示略）および第２の位置検出部１１５２Ｂ〜１１５２Ｄ（図示略）が設置されている。第１の位置検出部１１５１Ａ〜１１５１Ｄおよび第２の位置検出部１１５２Ａ〜１１５２Ｄは、後述するように、第２の端子１０５２Ａ〜１０５２Ｄが第１の端子１０５１Ａ〜１０５１Ｄのどれと接続されたかを検出するために用いられるものである。
【００３９】
ここで、具体的な位置検出部は、例えば、赤外線送受信モジュールのような部品により構成されることが考えられる。つまり、第１の位置検出部１１５１Ａ〜１１５１Ｄおよび第２の位置検出部１１５２Ａ〜１１５２Ｄに、それぞれ赤外線モジュールを備えさせることで、対向する位置検出部間で情報をやり取りさせることができる。また、位置検出部を、第１の位置検出部１１５１Ａ〜１１５１Ｄおよび／または第２の位置検出部１１５２Ａ〜１１５２Ｄに設置された物理的なスイッチによって構成し、位置提出処理部１２４は、どのスイッチがオンされたかによって適宜表示内容を制御するという構成も考えられる。
【００４０】
図７は、携帯情報端末１００の折り畳まれた状態での裏面図である。携帯情報端末１００が折り畳まれた状態では、第１の端子１０５１Ａ〜１０５１Ｄは、それぞれ、第２の端子１０５２Ａ〜１０５２Ｄ周囲の凹部に嵌めこまれている。
【００４１】
図８は、携帯情報端末１００の制御ブロック図である。第１の筐体１０１は、表示部１０３に表示させる内容を制御する表示内容制御部１１３および第２の筐体１０２との間での情報の送受信を処理する第１の筐体間制御信号送受信部１１１をさらに含む。また、第２の筐体１０２は、第２の筐体間制御信号送受信部１２２および位置検出処理部１２４をさらに含む。第２の筐体間制御信号送受信部１２２は、第２の筐体１０２との間での情報の送受信を処理し、入力部１０４に入力された情報を処理し、さらに、第２の筐体１０２の動作を全体的に制御する。位置検出処理部１２４は、第２の位置検出部１１５２Ａ〜１１５２Ｄのそれぞれに、第１の位置検出部１１５１Ａ〜１１５１Ｄのいずれかが接続されているか否かを判断するものである。
【００４２】
ここで、位置検出処理部１２４において、第１、第２の位置検出部とがどう接続されているかどうかの判断方法であるが、例えば、第１の端子（位置検出部）と第２の端子（位置検出部）同士が必ず２つで対になっており、対応する位置検出部どうしが接続されることで、位置検出処理部において「正しく接続された」という判断がされるという方法が考えられる。ただし、この場合は、物理的、機構的に第１の端子（位置検出部）と第２の端子（位置検出部）とが対になっているということも考えられるし、他にも、色や、文字など、ユーザが対応する端子を識別できるような印を付加しておくことによって、対となる端子同士を接続するように誘導するという方法も考えられる。さらに、「対となる端子同士が正しく接続されなかった」場合には、ユーザに対して「接続が間違っている」ということを表示部に表示したりすることによって、ユーザに正しい接続を促すこともできる（この指令は位置検出処理部において行う）。さらに、上記した例では、必ず対となる第１の端子と第２の端子とが正しく接続されなければならなかったが、必ずしも端子同士を対としておく必要はなく、第２の端子に対して第１の端子はどれにでも接続できる場合も考えられる。例えば、入力部を持つ第１の筐体と、長方形の表示部を持つ第２の筐体とがあった場合、それら筐体を用いてどのような機能を実現するかによって、第２の筐体を縦長に使うか、横長に使うかの最適な使い方が考えられる。このような場合、入力部を持つ第１の筐体の端子Ａに対して、ユーザから見て表示部を縦長の方向に使えるような第２の筐体の端子Ａ’を対応させることにより、携帯電話のような縦長の表示部の方が使いやすい機能を実現することができる。また、同じように、入力部を持つ第１の筐体の、同じ端子Ａに対して、ユーザから見て表示部を縦長の方向に使えるような第２の筐体の端子Ｂ’を対応させることにより、ウェブ閲覧のように横長の表示部の方が見やすい機能を実現することができる。このように、第１の筐体、第２の筐体を必ずしも対にしておく必要はなく、どの端子（位置検出部）と、どの端子（位置検出部）とが接続されたかを判断できるようにすればよいのであるが、この判断の方法は、例えば、位置検出部が赤外線モジュールで構成されていると、端子それぞれに対して、同一筐体内で一意の番号が割り振られており、対応する位置検出部どうしで、それら一意の番号をやり取りすることによって、どの位置で接続がされているかどうかを判断することができるといった方法が考えられる。
【００４３】
次に、図９のフローチャートを参照して、表示内容制御部１１３による、表示部１０３の表示内容を制御する処理（表示制御処理）について説明する。
【００４４】
表示内容制御部１１３は、まずＳ１で、ユーザからの操作を待つ。そして、ユーザからの操作があると、その種類を判断する。そして、携帯情報端末１００を開く操作であった場合にはＳ２へ、第１の筐体１０１と第２の筐体の接合位置を変更する操作であった場合にはＳ４へ、携帯情報端末１００を折り畳む操作であった場合にはＳ６へ、入力部１０４に情報を入力する操作であった場合にはＳ７へ、それぞれ処理を進める。なお、表示内容制御部１１３は、携帯情報端末１００が開かれたことおよび折り畳まれたことを、たとえば、携帯情報端末１００に適宜設けられたスイッチのＯＮ−ＯＦＦによって認識してもよいし、第１の筐体１０１または第２の筐体０２に、センサのような位置（上下左右、傾き等）の検出ができるものを備え、それにより認識されてもよい。
【００４５】
Ｓ２では、表示内容制御部１１３は、位置検出処理部１２４の検出出力をチェックすることにより、第１の端子１０５１Ａ〜１０５１Ｄの中のどの端子と、第２の端子１０５２Ａ〜１０５２Ｄの中のどの端子が接続しているかを判定し、Ｓ３へ処理を進める。
【００４６】
そして、表示内容制御部１１３は、Ｓ３で、どの端子が接続しているかに応じて表示する内容を決定し、表示部１０３に表示させて、Ｓ１で、ユーザの操作を待つ。
【００４７】
なお、接続している端子と表示する内容は、予め関連付けられており、表示内容制御部１１３内にたとえば図１０に示すように表形式で記憶されている。なお、図１０に示す表において位置とは、第１の端子１０５１Ａ〜１０５１Ｄのいずれかと第２の端子１０５２Ａ〜１０５２Ｄのいずれかが接続した際の、第２の筐体１０２の第１の筐体１０１に対する位置である。つまり、たとえば、位置が「右」とは、図１に示すように、第１の端子１０５１Ｄと第２の端子１０５２Ｄとが接続されて、第２の筐体１０２が第１の筐体１０１の右側に固定されている状態を言う。また、図１０に示す表において「指令」とは、表示部１０３に表示させる内容であり、図１０に示す例では、携帯情報端末１００において起動されるアプリケーションに対応している。
【００４８】
つまり、図１０に示されるように、第２の筐体１０２の位置が右である場合には、携帯情報端末１００において、図示せぬマイクロコンピュータ等により電子メールを閲覧するアプリケーションが起動され、そして、新着メールの有無および新着メールが、表示部１０３に表示される。また、第２の筐体１０２の位置が左である場合（図２に示された場合）には、携帯情報端末１００においてスケジュール帳を編集するアプリケーションが起動され、そして、表示部１０３に、スケジュール帳が表示される。また、第２の筐体１０２の位置が上である場合（図３に示された場合）には、アドレス帳を編集するアプリケーションが起動され、そして、表示部１０３に、アドレス帳が表示される。また、第２の筐体１０２の位置が下である場合（図４に示された場合）には、ウェブを閲覧するアプリケーションが起動され、そして、表示部１０３には、ホームページが表示される。
【００４９】
なお、上記したような図１０に従った表示部１０３の表示は、必ずしもアプリケーションの起動と同時に行なわれなくてもよい。Ｓ３において、まず、表示部１０３において図１０に従った表示が行なわれ、その後、所定の操作がなされた際にアプリケーションが起動されてもよい。
【００５０】
再度図９を参照して、Ｓ４では、表示内容制御部１１３は、Ｓ２と同様に、接合位置を判定し、その後、Ｓ５で、Ｓ３と同様に表示内容を決定し、かつ、その内容を表示部１０３に表示させて、Ｓ１で、ユーザからの操作を待つ。
【００５１】
Ｓ６では、表示内容制御部１１３は、Ｓ３またはＳ５で表示される、接合位置に応じた表示を終了させて、Ｓ１でユーザの操作を待つ。なお、Ｓ６では、表示部１０３の表示内容が、接合位置に応じた表示から予め定められた表示に変更されてもよいし、表示部１０３における表示自体が終了されてもよい。
【００５２】
Ｓ７では、表示内容制御部１１３は、入力された内容を認識し、その後、Ｓ８で、当該認識した内容に従って表示部１０３に表示させる内容（データ）を生成し、表示させて、Ｓ１で、ユーザの操作を待つ。
【００５３】
以上説明した本実施の形態では、第１の筐体１０１と第２の筐体１０２とは、第１の端子１０５１Ａ〜１０５１Ｄのいずれかと第２の端子１０５２Ａ〜１０５２Ｄのいずれかが接続されることにより、接続された端子を介し、それぞれ内部に存在する接続線で接続されていた。なお、ユーザが端子の接続を手間取ったり、度重なる使用によって端子が磨耗すること等考慮し、第１の筐体１０１および第２の筐体１０２のそれぞれに無線ユニットを備え、第１の筐体１０１と第２の筐体１０２の間で無線通信が行なわれてもよい。さらに、当該無線通信は、安全かつ安価な赤外線通信であってもよい。
【００５４】
なお、第１の筐体１０１の構成要素と第２の筐体１０２の構成要素は、互いに交換されてもよい。つまり、たとえば、図１１に示されるように、入力部１０４は第１の筐体１０１に備えられてもよいし、表示部１０３は第２の筐体１０２に備えられてもよい。
【００５５】
また、情報を入力する入力部および表示する表示部は、必ずしもどちらか一方のみに備えられるものではない。つまり、たとえば、図１２および図１３に示すように、第１の筐体１０１および第２の筐体１０２に、それぞれ、表示部１０３，２０３と入力部１０４，２０４が備えられてもよい。なお、図１２に示す携帯情報端末１００では、第１の筐体１０１および第２の筐体１０２にそれぞれタッチパネル１０１Ａ，１０２Ａが備えられている。そして、タッチパネル１０１Ａにより、表示部１０３および入力部２０４が構成されている。また、タッチパネル１０２Ａにより、表示部２０３および入力部１０４が構成されている。
【００５６】
また、図１２および図１３に示した例では、位置検出処理部１２４が、第１の筐体１０１側に備えられている。このような場合には、位置検出処理部１２４は、第１の位置検出部１１５１Ａ〜１１５１Ｄのそれぞれが、第２の位置検出部１１５２Ａ〜１１５２Ｄのいずれかと接続されているか否かを判断する。
【００５７】
さらに、第１の筐体１０１と第２の筐体１０２の片方のみが表示部および入力部を備えていてもよい。つまり、たとえば、図１４に示すように、第１の筐体１０１に、表示部１０３および入力部２０４が備えられ、第２の筐体１０２に、表示部２０３が備えられていてもよい。
【００５８】
また、本実施の形態では、図１０の表を参照して説明したように、第１の筐体１０１と第２の筐体１０２との接合位置に基づいて、表示部１０３に表示させる内容および／または起動されるアプリケーションが決定された。なお、接合位置に基づいた表示内容としては、「ウェブ閲覧」というアプリケーションであっても、図１５に表形式で示すように、開いた位置に応じて、異なるＵＲＬのページを閲覧するように制御されてもよい。具体的には、左に開いたら「今日のお料理レシピのホームページ（ｈｔｔｐ：／／ｗｗｗ．ｔｏｄａｙ＿ｒｅｃｉｐｅ．ｃｏ．ｊｐ／ｔｏｄａｙ．ｈｔｍｌ）」、右に開いたら「今日のニュース（ｈｔｔｐ：／／ｗｗｗ．ｔｏｄａｙ＿ｎｅｗｓ．ｃｏｍ／ｔｏｐ１０．ｈｔｍｌ）」、上に開いたら「ショッピングサイト（ｈｔｔｐ：／／ｗｗｗ．ｏｋｕｓａｍａ＿ｓｈｏｐｐｉｎｇ．ｃｏ．ｊｐ／ｏｓｕｓｕｍｅ．ｈｔｍｌ）」といったように、開いた位置に応じて異なるＵＲＬが関連付けられ、表示内容制御部１１３は、この表を参照することにより、開いた位置に応じて決定されるＵＲＬのページを閲覧する処理を実行する。
【００５９】
さらに、携帯情報端末１００が、第１の筐体１０１と第２の筐体１０２の接合位置に応じて、同じアプリケーションにおける再生・表示位置が切り替えられて表示されるよう構成してもよい。具体的には、たとえば、「太郎の運動会の写真」や「花子幼稚園入園式の写真」などといったように、接合位置に応じてアルバム内の異なる静止画ファイルを表示するというものも考えられるし、ある動画ファイルにおける再生開始位置（「太郎の運動会の様子」というビデオにおいて、左に開くと「最初から」、右に開くと「３０分後から（玉入れ）」、上に開くと「６０分後から（かけっこ）」から再生される）を切り替えるいったものも考えられる。
【００６０】
なお、本発明における「接合」とは、必ずしもメカ的、つまり機構的、物理的に、第１の筐体１０１と第２の筐体１０２とが接続されている状態のみを意味するものではない。第１の筐体１０１と第２の筐体１０２とが、“機構的”には別々に離れているが、第１の筐体１０１と第２の筐体１０２との間で無線通信によって情報をやり取りすることによって“実質的”には第１の筐体１０１と第２の筐体１０２とが繋がっている、という場合も含まれる。この場合の接合位置とは、無線通信を行なう位置のことを言い、赤外線によって通信を行なう場合には、赤外線を送信／受信する装置が設置されている位置を言う。
【００６１】
さらに、本発明における「接合」は、機構的ではないながらも有線によって繋がっている場合をも含む。具体的には、第１の筐体１０１と第２の筐体１０２とが、一方が他方に完全に固定されなくても、つまり、一方が他方に対して移動しながらでも通信が可能なように、接続線等で接続されている場合も、本発明の「接合」されている状態に含まれる。なお、この場合の接合位置は、接続線が接続されている位置である。
【００６２】
［第２の実施の形態］
図１６は、本実施の形態の携帯情報端末１００の制御ブロック図である。
【００６３】
本実施の形態の携帯情報端末１００は、図８に示した第１の実施の形態の携帯情報端末１００に加えて、第１の筐体１０１に表示内容記憶部１１５が備えられている。第１の実施の形態では、図１０に示したような、接合位置と処理内容との対応を示す表は、表示内容制御部１１３の中のメモリに予め記憶されていたが、本実施の形態では、そのような表は、表示内容記憶部１１５に記憶されている。また、本実施の形態では、ユーザは、そのような表の内容を、入力部１０４を適宜操作するこｔによって修正できる。
【００６４】
図１７に、本実施の形態の表示内容制御部１１３が実行する表示制御処理のフローチャートを示す。なお、本実施の形態の表示制御処理の内容は、Ｓ１〜Ｓ７については、図９に示した第１の実施の形態における表示制御処理の内容と同様である。
【００６５】
つまり、表示内容制御部１１３は、ユーザからの操作があると（Ｓ１でＹＥＳ）、その種類を判断する。携帯情報端末１００を開く操作であった場合にはＳ２へ、第１の筐体１０１と第２の筐体の接合位置を変更する操作であった場合にはＳ４へ、携帯情報端末１００を折り畳む操作であった場合にはＳ６へ、入力部１０４に情報を入力する操作であった場合にはＳ７へ、それぞれ処理を進める。
【００６６】
また、表示内容制御部１１３は、Ｓ２では、第１の筐体１０１と第２の筐体１０２の接合位置を判定し、Ｓ３で接合位置に応じた表示を行なった後、Ｓ１でユーザからの操作を待つ。また、表示内容制御部１１３は、Ｓ４では、表示内容制御部１１３は、Ｓ２と同様に接合位置を判定し、その後、Ｓ５で接合位置に応じた表示を行なった後、Ｓ１でユーザからの操作を待つ。また、表示内容制御部１１３は、Ｓ６では、Ｓ３またはＳ５で表示される、接合位置に応じた表示を終了させて、Ｓ１でユーザの操作を待つ。
【００６７】
Ｓ７では、表示内容制御部１１３は、入力された内容を認識し、処理をＳ７１に進める。Ｓ７１では、入力された内容が、上記したような接合位置と処理内容との対応を示す表における対応関係を変更するものであるか否かを判断する。そして、当該対応関係を変更するものであればＳ７３へ、そうでなければＳ７２へ、それぞれ処理を進める。
【００６８】
Ｓ７２では、表示内容制御部１１３は、入力された内容に従って表示部１０３に表示させる内容（データ）を生成し、表示させて、Ｓ１で、ユーザの操作を待つ。一方、Ｓ７３では、表示内容制御部１１３は、表示内容記憶部１１５に記憶された表の内容を、ユーザが入力したように修正して、Ｓ１で、ユーザの操作を待つ。
【００６９】
以上説明した本実施の形態では、第１の筐体１０１と第２の筐体１０２の接合位置に応じて表示部１０３における表示内容を変更できると共に、接合位置と表示内容との関係をユーザが所望するものに変更できる。
【００７０】
なお、本実施の形態の携帯情報端末１００においても、第１の筐体１０１と第２の筐体１０２との接合位置に基づいて、表示部１０３に表示させる内容および／または起動されるアプリケーションが決定される。なお、接合位置に基づいた表示内容としては、他に、表示部１０３において再生されるマルチメディアデータの再生位置が決定されてもよい。つまり、たとえば、図１８に表形式で示すように、接合位置に応じてあるアプリケーションやファイルの再生（表示）位置が指定されてもよい。
【００７１】
図１８に示す表に従って再生位置が指定される場合、まず、表示の元となる基本ファイルもしくは指定アプリケーションを指定する必要がある。この基本ファイル／アプリケーションは、どのようなものでもよく、例えばファイルの場合は、動画ファイルやアニメーションファイル、音（音楽）ファイル、ＨＴＭＬファイルなどといったものが考えられる。このファイルを指定するための情報は、表示内容記憶部１１５に記憶されている。
【００７２】
次に、基本ファイルやアプリケーションに対して、どの位置から再生・表示するかを指定する。この指定の形式は、基本ファイル内にてその位置を識別できるような形式であれば、また、基本アプリケーション内に対してその表示場所を指定できるような形式であれば、どのようなものでもよい。図１８に示した例で説明すると、基本ファイルとして、任意の位置に対して識別子をつけることができ「ヤットカメマン第１話「飛べ、勇士！」」という題名のアニメーションのマルチメディアファイルを指定していた場合、接合位置が右であった場合は「始めの歌」という識別子が付いている位置から再生をする。接合位置が上であった場合は「本編後半」という識別子が付いている位置から再生をする。このように、基本ファイル内における位置を指定することにより、例えば動画やアニメーションファイルなどといった時間軸による動きのあるファイルであっても、通り一遍にファイルの最初から再生するのではなく、指定された位置、すなわち途中からの再生することを実現できる。
【００７３】
このような態様で表示が行なえることにより、従来は「１。端末を開く」「２。ファイルの特定位置を指定して再生する」というような２回以上の操作を強いられていたものを１回の操作で簡単に所望の位置から所望のファイルの表示及び再生を行うことができる。
【００７４】
なお、基本ファイル内における位置の指定であるが、図１８では、ファイル内のある地点に対して識別子を付加することができ、その識別子名によって指定したが、それ以外にも、時間によって指定できてもよい。
【００７５】
そして、本実施の形態では、図１７におけるＳ７，Ｓ７１およびＳ７３の処理を参照して説明したように、ユーザが入力部１０４に適切な情報を入力することにより、再生させるファイルを指定する情報、および、接合位置に応じた再生位置が変更される。
【００７６】
［第３の実施の形態］
図１９に、本実施の形態の携帯情報端末１００の斜視図を示す。
【００７７】
本実施の形態の携帯情報端末１００では、第２の筐体１０２は、例えば、第１の筐体１０１にクリップ式や磁石等によって取付けられる小型のカメラユニットにより構成される。第１の筐体１０１は、表示部１０３と入力部２０４を備えている。
【００７８】
第１の筐体１０１は、直方体である。そして、第２の筐体１０２は、第１の筐体１０１に対して、図１９に示すように上側に取付けられることもできるし、図２０に示すように左側に取付けられることもできる。また、同様に、第２の筐体１０２は、第１の筐体１０１に対して下側に取付けられることもできるし、右側に取付けられることもできる。
【００７９】
表示部１０３には、第２の筐体１０２によって撮影した被写体Ｘが表示される。なお、本実施の形態の携帯情報端末１００では、第２の筐体１０２が第１の筐体１０１上で取付けられる位置に応じて、被写体Ｘと一緒に表示部１０３に表示される背景が変更される。具体的には、図１９と図２０とで、第２の筐体１０２が第１の筐体１０１上の異なる位置に取付けられると、被写体Ｘと一緒に表示される背景が、図１９では背景Ｙとなり、図２０では背景Ｙとは異なる背景Ｚなっている。
【００８０】
本実施の形態の携帯情報端末１００では、カメラユニット（第２の筐体１０２）を第１の筐体１０１に取付ける位置に応じて、例えば撮影する際に重ね合わせる背景イメージを切り替えることができる。つまり、カメラユニット（第２の筐体１０２）を取付ける位置に応じて、表示部１０３に表示される内容を切替えることができる。つまり、表示部１０３の表示内容を切替えようとする場合、特に、写真撮影などの一瞬一秒を写し撮るためにチャンスを逃すことができない場合においても、従来ならば表示部１０３に表示されているメニューなどをまず表示して、その中から所望の背景イメージを選択するといったような操作を必要とされたが、本実施の形態の携帯情報端末であれば、筐体を接合する位置を変えるという簡単かつ非常に分かり易い操作で足りる。これにより、表示部の内容を切り替えることができ、ユーザの操作を軽減することができる。
【００８１】
本実施の形態では、第１の筐体１０１に対して第２の筐体１０２がクリップ式や磁石によって着脱可能に取付けることができる形態を前提として示したが、これに限らず、着脱可能であり、かつ、第１の筐体に対して自由な位置に取り付けることができる形態であれば、どのような形態でもかまわない。
【００８２】
［第４の実施の形態］
図２１に、本実施の形態の携帯情報端末１００の斜視図を示す。
【００８３】
本実施の形態の携帯情報端末１００は、第１の筐体１０１および第２の筐体１０２を含む。第１の筐体１０１および第２の筐体１０２を含むことにより、本実施の形態の携帯情報端末１００は、第１および第２の実施の形態の携帯情報端末１００と同様に、折り畳んだり、開いたりすることができる。そして、図２１では、携帯情報端末１００は、折り畳まれた状態で示されている。
【００８４】
図２１を参照して、第１の筐体１０１の背面（携帯情報端末１００が折り畳まれた際に、第２の筐体１０２と等接する面の裏側の面）には、窓１０１Ｐ〜１０１Ｓの４個の窓が形成されている。それらは、それぞれ、情報を表示でき、その表示内容は表示内容制御部１１３（図８等参照）によって制御される。
【００８５】
窓１０１Ｐ〜１０１Ｓには、それぞれ、図１０に「指令」として記載された、携帯情報端末１００を開いた際の、接合位置に対応して表示される内容が、接合位置に対応して、表示されている。
【００８６】
つまり、「ウェブ閲覧」と表示されている窓１０１Ｐを軸として第１の筐体１０１を回動させながら携帯情報端末１００を開くと、表示部１０３（図２１では図示略、第２の筐体１０２と等接する面に設置されている）に、「ウェブ閲覧」に対応する画面、すなわち、ホームページが表示される。
【００８７】
また、「スケジュール帳」と表示されている窓１０１Ｑを軸として第１の筐体１０１を回動させながら携帯情報端末１００を開くと、表示部１０３に、「スケジュール帳」に対応する画面、すなわち、スケジュール帳が表示される。
【００８８】
また、「アドレス帳」と表示されている窓１０１Ｒを軸として第１の筐体１０１を回動させながら携帯情報端末１００を開くと、表示部１０３に、「アドレス帳」に対応する画面、すなわち、アドレス帳が表示される。
【００８９】
また、「新着メールボックス」と表示されている窓１０１Ｓを軸として第１の筐体１０１を回動させながら携帯情報端末１００を開くと、表示部１０３に、「新着メールボックス」に対応する画面、すなわち、新着メールの有無および新着メールが表示される。
【００９０】
本実施の形態の携帯情報端末によると、接合位置に応じて違う内容（アプリケーション、再生位置）が表示されることをユーザは開いてない状態から確認するすることができる。
【００９１】
なお、図２１では、窓１０１Ｐ〜１０１Ｓには、対応する表示内容を示す文字列を表示したが、これだけに限らず、窓１０１Ｐ〜１０１Ｓには、アイコンが表示されてもよいし、表示内容がアプリケーションに対応する場合には当該アプリケーションの画面の縮小図あってもよい。
【００９２】
［変形例等］
以上説明した各実施の形態において、接合位置に応じて、表示される内容、再生位置、起動されるアプリケーション等が決定される例をそれぞれ示したが、これらは、別々に構成される必要はなく、組合わされて構成されていてもよい。すなわち、同じ携帯情報端末１００において、接合位置に応じて、アプリケーション自体の切り替え（上の場合は「アドレス帳」、下の場合は「メールボックス」）とアプリケーション内の再生位置の切り替え（左の場合は「動画ファイルＡの最初から」、右の場合は「動画ファイルＡの中間地点から」）というように複数の切り替えの対象を１つの装置に備えていてもよい。
【００９３】
今回開示された各実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。なお、各実施の形態は、単独でも、また、可能な限り組合せても、適用することができる。
【００９４】
【発明の効果】
以上説明した本発明によると、第１の筐体を第２の筐体に対して変位させる際、第１の端子を、複数の第２の端子の中のどの端子と通信させる位置に変位させるかによって、第１の筐体を第２の筐体に対して変位させるという効果と、表示部に表示させる内容を選択するという効果を得ることができる。これにより、第１の筐体を第２の筐体に対して変位させるという操作を行なえば、表示部に表示させる内容を選択するための操作を省略できる。したがって、端末装置において、ユーザが、目的の機能を実現させるために必要とされる操作を少なくできる。
【００９５】
つまり、従来、たとえば折り畳み型端末において、ユーザは、アプリケーションを起動するという機能を実現させる際、端末を折り畳まれた状態から開いた状態にし、さらに、アプリケーションを起動するといった２段階の操作を強いられていた。しかしながら、本発明によれば、第１の筐体に対して第２の筐体を接合する接合位置を判断し、その接合位置に応じて、表示するアプリケーションを切り替えることができることで、「折り畳みの状態から端末を開く」という１回の操作だけで所望のアプリケーションを起動したり、所望のファイルを、ファイル内の所望の位置から表示させることができ、ユーザの操作を軽減することができる。
【００９６】
さらに、筐体どうしを接合するバリエーションとして、第１の筐体に対して第２の筐体が折り畳んだり開いたりするように接合する形態と、第１の筐体に対して第２の筐体が自由な位置に簡単に着脱可能という形態を用意しておくことによって、２つの筐体部分と１つの接合部を持つようなさまざまな端末に対して適用することができ、ユーザの操作を軽減することができる。
【００９７】
また、接合位置に応じて起動するアプリケーションのバリエーションとして、アプリケーション、ＵＲＬ、ファイル、および、ファイル内の再生位置として設定することができる。このようにしておくことで、情報端末を開くもしくは取り付けるだけで、所望の内容を表示して閲覧および操作することができ、ユーザの操作を軽減することができる。
【図面の簡単な説明】
【図１】本発明の第１の実施の形態の携帯情報端末の斜視図である。
【図２】図１の第１の筐体が、第２の筐体の入力部を備える面の中の、図１とは異なる辺に接続された状態を示す図である。
【図３】図１の第１の筐体が、第２の筐体の入力部を備える面の中の、図１とは異なる辺に接続された状態を示す図である。
【図４】図１の第１の筐体が、第２の筐体の入力部を備える面の中の、図１とは異なる辺に接続された状態を示す図である。
【図５】図１の携帯情報端末の開かれた状態での裏面図である。
【図６】図５における第１の端子と第２の端子およびその周辺部分の拡大図である。
【図７】図１の携帯情報端末の折り畳まれた状態での裏面図である。
【図８】図１の携帯情報端末の制御ブロック図である。
【図９】図８の表示内容制御部が実行する表示制御処理のフローチャートである。
【図１０】図９の表示制御処理における、接続している端子と表示する内容の関連を示す図である。
【図１１】第１の実施の形態の携帯情報端末の第１の変形例の制御ブロック図である。
【図１２】第１の実施の形態の携帯情報端末の第２の変形例を示す図である。
【図１３】第１の実施の形態の携帯情報端末の第２の変形例を示す図である。
【図１４】第１の実施の形態の携帯情報端末の第３の変形例を示す図である。
【図１５】第１の実施の形態の携帯情報端末の第４の変形例における、接合位置と閲覧するウェブのＵＲＬとの関係を示す図である。
【図１６】本発明の第２の実施の形態の携帯情報端末の制御ブロック図である。
【図１７】図１６の表示内容制御部が実行する表示制御処理のフローチャートである。
【図１８】図１６の携帯情報端末において、接合位置と再生されるマルチメディアデータの再生位置との対応関係を表形式で示す図である。
【図１９】本発明の第３の実施の形態の携帯情報端末の斜視図である。
【図２０】本発明の第３の実施の形態の携帯情報端末の斜視図である。
【図２１】本発明の第４の実施の形態の携帯情報端末の斜視図である。
【図２２】従来の端末装置の外観図である。
【図２３】従来の端末装置の外観図である。
【符号の説明】
１００  携帯情報端末、１０１  第１の筐体、１０２  第２の筐体、１０３  表示部、１０４  入力部、１０４Ａ，１０４Ｂ  キー、１０５  筐体接合部、１１１  第１の筐体間制御信号送受信部、１１３  表示内容制御部、１１５  表示内容記憶部、１２２  第２の筐体間制御信号送受信部、１２４  位置検出処理部、１０５１Ａ〜１０５１Ｄ  第１の端子、１０５２Ａ〜１０５２Ｄ  第２の端子、１１５１Ａ〜１１５１Ｄ  第１の位置検出部、１１５２Ａ〜１１５２Ｄ  第２の位置検出部。
【図１】
2004164216.tif 000003
【図２】
2004164216.tif 000004
【図３】
2004164216.tif 000005
【図４】
2004164216.tif 000006
【図５】
2004164216.tif 000007
【図６】
2004164216.tif 000008
【図７】
2004164216.tif 000009
【図８】
2004164216.tif 000010
【図９】
2004164216.tif 000011
【図１０】
2004164216.tif 000012
【図１１】
2004164216.tif 000013
【図１２】
2004164216.tif 000014
【図１３】
2004164216.tif 000015
【図１４】
2004164216.tif 000016
【図１５】
2004164216.tif 000017
【図１６】
2004164216.tif 000018
【図１７】
2004164216.tif 000019
【図１８】
2004164216.tif 000020
【図１９】
2004164216.tif 000021
【図２０】
2004164216.tif 000022
【図２１】
2004164216.tif 000023
【図２２】
2004164216.tif 000024
【図２３】
2004164216.tif 000025